(57)【特許請求の範囲】
【請求項１】
平面形状が多角形のユニットにおける平面形状の複数の辺の側面部に、該各辺の中点から該各辺の長手方向一端側と他端側に等距離となる位置のいずれか一方に、該各辺より外向きに突出する係止用凸部をそれぞれ設け、且ついずれか他方に、上記係止用凸部の平面形状に応じた平面形状の係止用凹部をそれぞれ設け、更に、上記係止用凸部の表面と、その内側のユニット表面における該係止用凸部が設けてある辺の延長線位置を対称軸とする一対の線対称位置のいずれか一方の位置に、上向きに突出するピンを一体に設け、且つ上記一対の線対称位置のいずれか他方の位置に、上記ピンを挿入可能な内径と深さを備えたピン差込穴を設けてなる構成を有することを特徴とするユニット接続用ジョイント。
【請求項２】
ユニットの側面部に、係止用凸部と係止用凹部を隣接させて設けるようにした請求項１記載のユニット接続用ジョイント。
【請求項３】
ユニットの平面形状を、正三角形、二等辺三角形、正方形、長方形、菱形、等脚台形、凧形、正方形又は長方形の一辺に二等辺三角形の底辺又は正三角形の一辺を接合した形状の五角形、二等辺三角形の底辺又は正三角形の一辺に等脚台形の下底を接合した形状の五角形、正六角形、正方形又は長方形の対辺にそれぞれ二等辺三角形の底辺又は正三角形の一辺を接合した形状の六角形、正方形又は長方形の一辺に等脚台形の下底を接合した形状の六角形、２つの等脚台形を下底同士で接合した形状の六角形、若しくは、正方形又は長方形の四隅部を切り欠いた形状の八角形とし、該平面形状のユニットを平面領域に敷き詰めるよう配置するときに隣接するユニットと互いに突き合わされるユニットの平面形状の辺の側面部に、係止用凸部と係止用凹部を設けるようにした請求項１又は２記載のユニット接続用ジョイント。
【請求項４】
ユニットの平面形状を、正三角形、正方形又は正六角形とし、且つ該ユニットの平面形状における各辺の側面部に、該ユニットの平面形状の中心を対称中心とする回転対称となる配置で係止用凸部と係止用凹部を設けるようにした請求項１又は２記載のユニット接続用ジョイント。
【発明の詳細な説明】
【技術分野】
【０００１】
本発明は、水平方向に隣接配置するユニット同士を突き合わせて配置した個所の上側に、上下を反転させた姿勢で水平方向に隣接配置する別のユニット同士の突合せ個所が載置される部分にて、ユニット同士を接続するためのユニット接続用ジョイントに関するものである。
【背景技術】
【０００２】
洪水の発生の抑制や、雨水の有効利用等を目的として雨水を一時的に貯留するための地下貯水槽（雨水貯留浸透施設）があり、この種の地下貯水槽を構築する手法の１つとして、近年では、樹脂製の貯水空間形成用のブロックを用いる手法が採られてきている。
【０００３】
これは、たとえば、地面を掘下げて形成した凹部内で、水平なプレート部とその片側に突出する支柱部を備えてなる構成としてある貯水空間形成用のブロックを、水平方向に縦横に配列すると共に、プレート部が下端側に位置して支柱部が上向きに突出する姿勢としたブロックと、上下を反転させてプレート部が上端側に位置して支柱部が下向きに突出する姿勢としたブロックとを、交互に多段に積層して直方体（立方体を含む）形状に組み立てて、その内部に貯水空間を有する骨格を形成する。その後、外周部に壁を設けると共に上面に天板を取り付け、更に、その周囲を、雨水の貯留や浸透の目的に応じて遮水シートや透水シートや保護シートを適宜選択あるいは組み合わせたシート材で覆った後、上側から土を埋め戻すことにより、地下貯水槽を構築するようにしてある。
【０００４】
ところで、上記のようにして構築した地下貯水槽では、該地下貯水槽に対して周囲に存在する土より作用する土圧による水平方向の荷重、及び、地下貯水槽に対して天板の上方より作用する土被り部分に存在する土や、地下貯水槽の真上の地面に配置されたものの鉛直方向の荷重を、上記ブロックを組み立てて形成した骨格で支持する必要がある。
【０００５】
そのために、上記地下貯水槽の骨格を形成している各ブロック同士の位置ずれを防止する必要があり、プレート部が上端側に位置する姿勢で水平方向に隣接して配置されたブロックのプレート部同士を突き合わせた部分の上側に、上下を反転させてプレート部が下端側に位置する姿勢で水平方向に隣接するブロックのプレート部が突き合わせて配置される個所では、図１０に概要を示すように、隣接するブロック同士の上下方向（矢印ａ方向）の位置ずれ、隣接するブロック同士の配列方向と直角な水平方向（矢印ｂ方向）の位置ずれ、及び、隣接するブロック同士を離反させる方向（矢印ｃ方向）の位置ずれをいずれも防止する必要がある。
【０００６】
そのため、通常は、上記ブロックとは別体のジョイント部材を用いて、該ジョイント部材を水平方向や上下方向に隣接するブロックのプレート部同士に跨るように配置して、該ジョイント部材の両端部を、それぞれ対応するブロックに係止させたり、取り付けるようにして、隣接するブロック同士の接続を行うようにしてある。
【０００７】
なお、水平方向に縦横に配列する枠体同士を接続するためのジョイントを、接続対象である枠体自体に一体に備えるようにしたものとしては、たとえば、枠体の四方の側面に、該側面より横向きに突出して先端部に係止爪を備えた係止板と、該係止板を挿入してその係止爪を契合させるための係止受部を備えた係止板挿入穴をそれぞれ設けて、隣接する枠体同士で、係止板を係止板挿入穴に相互に挿入させて係止爪を係止受部に係止させるようにした形式のものが従来提案されている（たとえば、特許文献１参照）。
【先行技術文献】
【特許文献】
【０００８】
【特許文献１】特開２００９−１５５８７２号公報
【発明の概要】
【発明が解決しようとする課題】
【０００９】
ところが、従来の貯水空間形成用のブロック同士の接続手法のように、水平方向や上下方向に隣接するブロックのプレート部同士を、ブロックとは別体のジョイント部材を用いて接続する場合は、ジョイント部材の長手方向への位置ずれの拘束は良好に行えるが、該ジョイント部材の長手方向と直交する方向に関しては拘束性能が低下する虞がある。
【００１０】
更に、上記ジョイント部材は、接続対象であるブロックとは別に製造する必要があると共に、管理や搬送も上記ブロックとは別に行うことがある。
【００１１】
しかも、上記ブロックの組み立て作業を行うときには、新たなブロックを所定の組み立て位置に配置する毎に、該新たに配置されたブロックを、隣接する既設のブロックに対して接続する必要があるため、作業に要する手間と時間が嵩んでしまう。
【００１２】
なお、特許文献１に示されたものでは、ジョイントである係止板や係止板挿入穴を枠体に一体に設けることは可能であるが、枠体同士の接続時には、係止爪を係止受部に係止させる必要上、該係止爪を有する係止板を撓ませる必要があり、そのために、該係止板の強度が弱く、破損する虞が懸念される。
【００１３】
又、上記係止爪を係止受部に係止させるものであるため、接続対象である枠体の上下方向の相対変位については拘束が弱く、又、隣接する枠体の配列方向と直交する水平方向への拘束もあまり強固に行うことができるものではない。
【００１４】
更に、特許文献１に示されたものでは、枠体同士の接続時に係止板を隣接する枠体の対応する係止板挿入穴に水平方向に挿入する必要があるため、枠体を水平方向に縦横に配列して組み立てる過程で、新たに組み立てようとする枠体の直交する２つの側面に隣接して配置される枠体が既に組み立てられている個所では、該新たな枠体の既設の枠体への接続が非常に困難になるというのが実状である。
【００１５】
この組立作業時の問題を回避するには、縦方向又は横方向に配列される枠体を一列すべて接続してから、該列の枠体を、隣接する列の対応する枠体に一度に接続するようにすればよいが、各列毎の配列数が多い場合や、重量や容積が嵩む場合、更には、作業スペースに制約がある場合は、作業が困難になってしまう。
【００１６】
しかも、特許文献１に示されたものは、上下方向に積層配置するユニット同士を接続する考えは何ら示されていない。
【００１７】
そこで、本発明は、水平方向に隣接配置するユニット同士を突き合わせて配置する個所の上側に、上下を反転させた姿勢で水平方向に隣接配置する別のユニット同士の突合せ個所が載置される部分にて、４つのユニットの上下方向の位置ずれ、水平方向に隣接するブロック同士のブロック配列方向と直角な水平方向の位置ずれ、及び、水平方向に隣接するブロック同士をブロック配列方向に沿って離反させる方向の位置ずれを、別部材を用いることなく良好に拘束することができるユニット接続用ジョイントを提供しようとするものである。
【課題を解決するための手段】
【００１８】
本発明は、上記課題を解決するために、請求項１に対応して、平面形状が多角形のユニットにおける平面形状の複数の辺の側面部に、該各辺の中点から該各辺の長手方向一端側と他端側に等距離となる位置のいずれか一方に、該各辺より外向きに突出する係止用凸部をそれぞれ設け、且ついずれか他方に、上記係止用凸部の平面形状に応じた平面形状の係止用凹部をそれぞれ設け、更に、上記係止用凸部の表面と、その内側のユニット表面における該係止用凸部が設けてある辺の延長線位置を対称軸とする一対の線対称位置のいずれか一方の位置に、上向きに突出するピンを一体に設け、且つ上記一対の線対称位置のいずれか他方の位置に、上記ピンを挿入可能な内径と深さを備えたピン差込穴を設けてなる構成とする。
【００１９】
又、上記構成において、ユニットの側面部に、係止用凸部と係止用凹部を隣接させて設けるようにした構成とする。
【００２０】
更に、上記各構成において、ユニットの平面形状を、正三角形、二等辺三角形、正方形、長方形、菱形、等脚台形、凧形、正方形又は長方形の一辺に二等辺三角形の底辺又は正三角形の一辺を接合した形状の五角形、二等辺三角形の底辺又は正三角形の一辺に等脚台形の下底を接合した形状の五角形、正六角形、正方形又は長方形の対辺にそれぞれ二等辺三角形の底辺又は正三角形の一辺を接合した形状の六角形、正方形又は長方形の一辺に等脚台形の下底を接合した形状の六角形、２つの等脚台形を下底同士で接合した形状の六角形、若しくは、正方形又は長方形の四隅部を切り欠いた形状の八角形とし、該平面形状のユニットを平面領域に敷き詰めるよう配置するときに隣接するユニットと互いに突き合わされるユニットの平面形状の辺の側面部に、係止用凸部と係止用凹部を設けるようにした構成とする。
【００２１】
同様に、上記各構成において、ユニットの平面形状を、正三角形、正方形又は正六角形とし、且つ該ユニットの平面形状における各辺の側面部に、該ユニットの平面形状の中心を対称中心とする回転対称となる配置で係止用凸部と係止用凹部を設けるようにした構成とする。
【発明の効果】
【００２２】
本発明のユニット接続用ジョイントによれば、以下のような優れた効果を発揮する。
（１）平面形状が多角形のユニットにおける平面形状の複数の辺の側面部に、該各辺の中点から該各辺の長手方向一端側と他端側に等距離となる位置のいずれか一方に、該各辺より外向きに突出する係止用凸部をそれぞれ設け、且ついずれか他方に、上記係止用凸部の平面形状に応じた平面形状の係止用凹部をそれぞれ設け、更に、上記係止用凸部の表面と、その内側のユニット表面における該係止用凸部が設けてある辺の延長線位置を対称軸とする一対の線対称位置のいずれか一方の位置に、上向きに突出するピンを一体に設け、且つ上記一対の線対称位置のいずれか他方の位置に、上記ピンを挿入可能な内径と深さを備えたピン差込穴を設けてなる構成としてあるので、水平方向に隣接配置したユニットの上側に、上下を反転させた姿勢で水平方向に隣接配置した別のユニットを重ねて配置するときに、各ユニットに設けてある係止用凸部と係止用凹部を水平方向に隣接するユニット同士で嵌合させ、各ユニットに設けてあるピンを、斜め方向に配置されるユニットのピン差込穴へ挿入するという簡単な操作のみで、上下方向に積層配置されたユニットの組と、それに隣接する上下方向に積層配置された別のユニットの組との上下方向の相対変位、水平方向に隣接配置されたユニット同士のユニット配列方向に直角な水平方向の相対変位、及び、水平方向に隣接配置されたユニット同士をユニット配列方向に沿って離反させる方向への相対変位を、いずれも別部材を用いることなく拘束することができる。
（２）更に、上記した各方向の相対変位の拘束力を、高めることが可能になる。
（３）しかも、各ユニットの上下方向の移動のみで組み立てることに伴って、本発明のユニット接続用ジョイントによる拘束力を発揮させることができるため、ユニットの組み立て作業を容易なものとすることができる。
（４）ユニットの側面部に、係止用凸部と係止用凹部を隣接させて設けるようにした構成とすることにより、水平方向及び積層方向に配列したユニット同士について上記各方向のいずれの相対変位を拘束するときであっても、該ユニット自体に荷重が作用する部分を或る一定の領域に小さくまとめるのに有利な構成とすることができる。
（５）ユニットの平面形状を、正三角形、二等辺三角形、正方形、長方形、菱形、等脚台形、凧形、正方形又は長方形の一辺に二等辺三角形の底辺又は正三角形の一辺を接合した形状の五角形、二等辺三角形の底辺又は正三角形の一辺に等脚台形の下底を接合した形状の五角形、正六角形、正方形又は長方形の対辺にそれぞれ二等辺三角形の底辺又は正三角形の一辺を接合した形状の六角形、正方形又は長方形の一辺に等脚台形の下底を接合した形状の六角形、２つの等脚台形を下底同士で接合した形状の六角形、若しくは、正方形又は長方形の四隅部を切り欠いた形状の八角形とし、該平面形状のユニットを平面領域に敷き詰めるよう配置するときに隣接するユニットと互いに突き合わされるユニットの平面形状の辺の側面部に、係止用凸部と係止用凹部を設けるようにした構成とすることにより、水平面内で縦横に配列して或る平面領域に敷き詰めるように配置した上記ユニットの上側に、上下を反転させた姿勢で上記平面領域に敷き詰めるように配置したユニットを載置した状態で、該平面領域に水平方向及び上下方向に配置されたすべてのユニットの接続を容易に且つ確実に行なうことができる。
（６）ユニットの平面形状を、正三角形、正方形又は正六角形とし、且つ該ユニットの平面形状における各辺の側面部に、該ユニットの平面形状の中心を対称中心とする回転対称となる配置で係止用凸部と係止用凹部を設けるようにした構成とすることにより、ユニット１の取扱い性を向上させることができる。
【図面の簡単な説明】
【００２３】
【図１】本発明のユニット接続用ジョイントの実施の一形態として、該ユニット接続用ジョイントを備えたユニットの概略平面図である。
【図２】（イ）は図１のＡ部を拡大して示す図、（ロ）は（イ）のＢ−Ｂ方向矢視図である。
【図３】図１のユニット接続用ジョイントの使用方法を示すもので、（イ）は水平方向に隣接させた２つのユニットの上側に、上下を反転させた姿勢で水平方向に隣接させた別の２つのユニットを配置した状態を、（ロ）は水平方向に隣接させた２つのユニットの上側に、上下を反転させた状態の別の２つのユニットを重ねて配置した状態をそれぞれ示す概略斜視図である。
【図４】本発明の実施の他の形態を示すもので、（イ）（ロ）はいずれも係止用凸部と係止用凹部の配置を変更した例を示す概略平面図である。
【図５】本発明の実施の更に他の形態として、本発明のユニット接続用ジョイントを備えたユニットの他の例を示すもので、（イ）はユニットの平面形状を正三角形とした場合を、（ロ）はユニットの平面形状を二等辺三角形とした場合を、それぞれ示す概略平面図である。
【図６】本発明の実施の更に他の形態として、本発明のユニット接続用ジョイントを備えたユニットの別の例を示すもので、（イ）はユニットの平面形状を長方形とした場合を、（ロ）はユニットの平面形状を等脚台形とした場合を、（ハ）はユニットの平面形状をひし形とした場合を、（ニ）はユニットの平面形状を凧形とした場合を、それぞれ示す概略平面図である。
【図７】本発明の実施の更に他の形態として、本発明のユニット接続用ジョイントを備えたユニットの更に別の例を示すもので、（イ）はユニットの平面形状を、方形の一辺に二等辺三角形の底辺を接合してなる五角形とした場合を、（ロ）はユニットの平面形状を、二等辺三角形の底辺と等脚台形の下底を接合してなる五角形とした場合を、それぞれ示す概略平面図である。
【図８】本発明の実施の更に他の形態として、本発明のユニット接続用ジョイントを備えたユニットの更に別の例を示すもので、（イ）はユニットの平面形状を正六角形とした場合を、（ロ）はユニットの平面形状を、方形の対辺にそれぞれ二等辺三角形の底辺を接合してなる六角形とした場合を、（ハ）はユニットの平面形状を、方形の一辺に等脚台形の下底を接合してなる六角形とした場合を、（ニ）はユニットの平面形状を、２つの等脚台形の下底同士を接合してなる六角形とした場合を、それぞれ示す概略平面図である。
【図９】本発明の実施の更に他の形態として、本発明のユニット接続用ジョイントを備えたユニットの更に別の例を示すもので、（イ）はユニットの平面形状を、正方形の四隅を切り欠いた八角形とした場合を、（ロ）はユニットの平面形状を、長方形の四隅を切り欠いた八角形とした場合を、それぞれ示す概略平面図である。
【図１０】従来の貯水空間形成用のブロックを組み立てた状態で、隣接するブロック同士の接続部分にて防止することが要求される位置ずれの種類を示す概要図である。
【発明を実施するための形態】
【００２４】
以下、本発明を実施するための形態を図面を参照して説明する。
【００２５】
図１乃至図３（イ）（ロ）は本発明のユニット接続用ジョイントの実施の一形態として、平面形状が線対称形状としての正方形としてあり、且つ、水平方向に縦横に配列して接続するようにしてある形式のユニットに適用する場合を示すもので、以下のようにしてある。
【００２６】
すなわち、本発明のユニット接続用ジョイントは、図１に示すように、平面形状正方形のユニット１における四方の側部にて、該ユニット１の平面形状で正方形の対応する辺の中点２から該辺の長手方向一端側と他端側に等距離となる位置のいずれか一方に、該辺より外向きに突出する係止用凸部３を設け、且ついずれか他方に、上記係止用凸部３の平面形状に応じた平面形状の係止用凹部４を設ける。
【００２７】
更に、図２（イ）（ロ）に詳細を示すように、上記係止用凸部３の表面と、その内側のユニット１の表面にて、上記正方形の係止用凸部３が設けてある辺の延長線位置を図２（イ）に一点鎖線で示す如き対称軸５とする一対の線対称位置のいずれか一方の位置に、表面より上向きに或る寸法突出するピン６を一体に設け、且ついずれか他方の位置に、上記ピン６の外径に対応した内径を有し且つ上記ピン６の上下寸法以上の深さ寸法とするか又は上下に貫通させてなるピン差込穴７を設けた構成とする。
【００２８】
詳述すると、図１に示したユニット１では、たとえば、図上上側の辺について説明すると、該辺の中点２から該辺の長手方向一端側（図上右側）へ距離Ｌ１の位置に、係止用凸部３を設けると共に、該係止用凸部３に隣接するように、上記辺の中点２から該辺の長手方向一端側へ距離Ｌ２の位置に、係止用凹部４が設けてある。
【００２９】
よって、上記辺の中点２から該辺の長手方向他端側（図上左側）へ距離Ｌ１とＬ２の位置には、係止用凹部４と係止用凸部３が隣接させて設けてある。
【００３０】
更に、上記各係止用凸部３の上面には、同一の配置で上方に突出するピン６がそれぞれ設けてあり、該各ピン６の設置個所に対し、上記正方形の対応する辺の延長線位置を対称軸５（図２（イ）参照）とする線対称となる位置のユニット１の表面に、ピン差込穴７がそれぞれ設けてある。
【００３１】
上記ユニット１における他の辺については、該ユニット１の平面形状が正方形、すなわち、線対称形状であることに加えて回転対称形状でもあることに鑑みて、上述した図１における図上上側の辺に設けた係止用凸部３、係止用凹部４、ピン６及びピン差込穴７の位置を、該ユニット１の平面形状である正方形の中央を対称中心として各辺上に回転させた回転対称となる配置で、係止用凸部３、係止用凹部４、各ピン６及びピン差込穴７がそれぞれ設けてある。
【００３２】
これにより、上記ユニット１は、４つの各辺に回転対称配置で係止用凸部３、係止用凹部４、ピン６及びピン差込穴７を備えた構成となる。したがって、上記ユニット１を水平方向に配列すると、図２（イ）に示すように、或るユニット１と、該ユニット１に隣接する図２（イ）に二点鎖線で示す如き別のユニット１との間では、双方の係止用凸部３と係止用凹部４を互いに嵌合させることができるようにしてある。又、上記のように２つのユニット１を隣接させて配置する際、各ユニット１における４つの各辺には、該ユニット１の平面形状正方形の中央を対称中心とする回転対称となる配置で係止用凸部３と係止用凹部４が設けてあると共に、上記係止用凸部３に対応させてピン６とピン差込穴７を備えた構成としてあるため、上記各ユニット１は、平面形状正方形のいずれの辺同士であっても、双方の係止用凸部３と係止用凹部４を互いに嵌合させることができるようにしてある。よって、上記２つのユニット１を隣接させて配置する際、個々のユニット１について、平面形状が同一となる水平面内での９０度毎の回転を個別に許容できて、ユニット１の取扱い性を向上させることができるようにしてある。
【００３３】
以上の構成としてある本発明のユニット接続用ジョイントを備えたユニット１を用いて水平方向と積層方向の組み立てを行う場合について、図３（イ）（ロ）を用いて説明する。なお、図３（イ）（ロ）では、図示する４つのユニット１を識別するために、各ユニットの符号を１ａ，１ｂ，１ｃ，１ｄと記載するようにしてある。又、該各ユニット１ａ，１ｂ，１ｃ，１ｄ毎の係止用凸部３、係止用凹部４、ピン６及びピン差込穴７についても、識別が可能なように、同じアルファベットがそれぞれ付してある。又、図示する便宜上、上下を反転させた姿勢で配置される２つのユニット１ｃ及び１ｄについては、水平方向と上下方向に他のユニット１ａ，１ｂ，１ｃ，１ｄと隣接配置する部分のみが示してある。
【００３４】
すなわち、図３（イ）に示すように、ピン６が上方に突出する姿勢としてあるユニット１ａとユニット１ｂを水平方向に隣接させて配置すると、ユニット１ａの係止用凸部３ａが、ユニット１ｂの係止用凹部４ｂに嵌合されると同時に、ユニット１ｂの係止用凸部３ｂが、ユニット１ａの係止用凹部４ａに嵌合される。
【００３５】
又、上下を反転させて、ピン６が下向きになる姿勢としたユニット１ｃとユニット１ｄを水平方向に隣接させて配置すると、ユニット１ｃの係止用凸部３ｃが、ユニット１ｄの係止用凹部４ｄに嵌合されると同時に、ユニット１ｄの係止用凸部３ｄが、ユニット１ｃの係止用凹部４ｃに嵌合される。
【００３６】
又、上記のようにユニット１ｃとユニット１ｄを上下を反転させた姿勢とした状態では、図３（イ）に示すように、上記ユニット１ａに設けてあるピン６ａ及びピン差込穴７ａの真上に、上記ユニット１ｄのピン差込穴７ｄ及びピン６ｄをそれぞれ配置することができると共に、上記ユニット１ｂに設けてあるピン６ｂ及びピン差込穴７ｂの真上に、上記ユニット１ｄｃピン差込穴７ｃ及びピン６ｃをそれぞれ配置することができるようになる。
【００３７】
よって、その後、図３（ロ）に示すように、上記隣接配置してあるユニット１ａとユニット１ｂの上側に、上記上下を反転させた姿勢のユニット１ｃとユニット１ｄを重ねて配置すると、上記ユニット１ａのピン６ａが、その上方に位置する上記ユニット１ｄのピン差込穴７ｄに挿入されると共に、該ユニット１ｄのピン６ｄが、その下方に位置する上記ユニット１ａのピン差込穴７ａに挿入される。
【００３８】
又、上記ユニット１ｂのピン６ｂが、その上方に位置する上記ユニット１ｃのピン差込穴７ｃに挿入されると共に、該ユニット１ｃのピン６ｃが、その下方に位置する上記ユニット１ｂのピン差込穴７ｂに挿入されるようになる。
【００３９】
上記のようにして水平方向に隣接配置したユニット１ａ，１ｂ上に、上下を反転させた姿勢で水平方向に隣接配置したユニット１ｃ，１ｄを積層配置した状態とすると、上記ユニット１ａとユニット１ｂについては、係止用凸部３ａ，３ｂと係止用凹部４ａ，４ｂが互いに嵌合されているため、該ユニット１ａとユニット１ｂ同士の配列方向に直角な水平方向への相対変位は防止される。
【００４０】
同様に、上記ユニット１ｃとユニット１ｄについては、係止用凸部３ｃ，３ｄと係止用凹部４ｃ，４ｄが互いに嵌合されているため、該ユニット１ｃとユニット１ｄ同士の配列方向に直角な水平方向への相対変位は防止される。
【００４１】
又、上記ユニット１ａの上側には、上記ユニット１ｃが載置されているが、このとき、該ユニット１ａの係止用凸部３ａの上側には、上記ユニット１ｄが載置されるようになっている。又、上記ユニット１ｄの係止用凸部３ｄの下側には、上記ユニット１ａの上面が接している。よって、上記ユニット１ａとユニット１ｄの間では、相対的にユニット１ａが上方へ移動し、ユニット１ｄが下方へ移動するような相対変位が防止される。
【００４２】
一方、上記ユニット１ｂの上側には、上記ユニット１ｄが載置されているが、このとき、該ユニット１ｂの係止用凸部３ｂの上側には、上記ユニット１ｃが載置されるようになっている。又、上記ユニット１ｃの係止用凸部３ｃの下側には、上記ユニット１ｂの上面が接している。よって、上記ユニット１ｂとユニット１ｃの間では、相対的にユニット１ｂが上方へ移動し、ユニット１ｃが下方へ移動するような相対変位が防止される。
【００４３】
これにより、上下方向に積層配置されたユニット１ａ及びユニット１ｃの組と、上下方向に積層配置されたユニット１ｂ及びユニット１ｄの組とが、上下方向に相対変位することは防止されるようになる。
【００４４】
更に、上記ユニット１ａのピン６ａが、ユニット１ｄのピン差込穴７ｄに挿入されていると共に、該ユニット１ｄのピン６ｄが、上記ユニット１ｄのピン差込穴７ａに挿入されているため、上記ユニット１ａとユニット１ｄについては、水平方向に離反する方向の相対変位が互いのピン６ａ，６ｄとピン差込穴７ａ，７ｄによって拘束される。
【００４５】
一方、上記ユニット１ｂのピン６ｂが、ユニット１ｃのピン差込穴７ｃに挿入されていると共に、該ユニット１ｃのピン６ｃが、上記ユニット１ｂのピン差込穴７ｂに挿入されているため、上記ユニット１ｂとユニット１ｃについては、水平方向に離反する方向の相対変位が互いのピン６ｂ，６ｃとピン差込穴７ｂ，７ｃによって拘束される。
【００４６】
又、上記ユニット１ａとユニット１ｂは、互いの側面同士を突き合わせてあると共に、上記ユニット１ｃとユニット１ｄは、互いの側面同士が突き合わせてあるため、水平方向に隣接配置されている上記ユニット１ａとユニット１ｂを離反させる方向の相対変位は、上記ユニット１ｃとユニット１ｄを介して間接的に防止される。
【００４７】
同様に、水平方向に隣接配置されている上記ユニット１ｃとユニット１ｄを離反させる方向の相対変位は、上記ユニット１ａとユニット１ｂを介して間接的に防止されるようになる。
【００４８】
このように、本発明のユニット接続用ジョイントによれば、水平方向に隣接配置されたユニット１ａと１ｂの上側に、上下を反転させた姿勢で隣接配置したユニット１ｃと１ｄを積層配置した状態で、該各ユニット１ａ，１ｂ，１ｃ，１ｄに設けてある係止用凸部３ａ，３ｂ，３ｃ，３ｄと係止用凹部４ａ，４ｂ，４ｃ，４ｄの対応するもの同士の嵌合と、該各ユニット１ａ，１ｂ，１ｃ，１ｄに設けてあるピン６ａ，６ｂ，６ｃ，６ｄの対応するピン差込穴７ａ，７ｂ，７ｃ，７ｄへの挿入という簡単な操作のみで、上下方向に積層配置されたユニット１ａ及びユニット１ｃの組と、上下方向に積層配置されたユニット１ｂ及びユニット１ｄの組との上下方向の相対変位、水平方向に隣接配置されたユニット１ａとユニット１ｂ同士、及び、ユニット１ｃとユニット１ｄ同士のユニット配列方向に直角な水平方向の相対変位、並びに、水平方向に隣接配置されたユニット１ａとユニット１ｂ同士、及び、ユニット１ｃとユニット１ｄ同士をユニット配列方向に沿って離反させる方向への相対変位を、いずれも別部材を用いることなく拘束することができる。
【００４９】
更に、上記ユニット１ａとユニット１ｂは、互いの側面に設けてある係止用凸部３ａ，３ｂと係止用凹部４ａ，４ｂを嵌合させ、上記ユニット１ｃとユニット１ｄは、互いの側面に設けてある係止用凸部３ｃ，３ｄと係止用凹部４ｃ，４ｄを嵌合させ、上記ユニット１ａとユニット１ｄの連結は、互いのピン６ａ，６ｄとピン差込穴７ａ，７ｄを介して行い、上記ユニット１ｂとユニット１ｃの連結は、互いのピン６ｂ，６ｃとピン差込穴７ｂ，７ｃを介して行うようにしてあるため、上記した各方向の相対変位の拘束力を、高めることが可能になる。
【００５０】
しかも、上記各ユニット１ａ，１ｂ，１ｃ，１ｄの係止用凸部３ａ，３ｂ，３ｃ，３ｄと係止用凹部４ａ，４ｂ，４ｃ，４ｄの対応するもの同士の嵌合、並びに、それぞれのピン６ａ，６ｂ，６ｃ，６ｄの対応するピン差込穴７ａ，７ｂ，７ｃ，７ｄへの挿入は、該各ユニット１ａ，１ｂ，１ｃ，１ｄの上下方向の移動のみで実施することができるため、ユニット１ａ，１ｂ，１ｃ，１ｄの組み立て作業を容易なものとすることができる。
【００５１】
更に、図１に示したように、上記本発明のユニット接続用ジョイントを備えたユニット１は、平面形状を正方形としてあると共に、その４つの各辺には、該ユニット１の平面形状正方形の中央を対称中心とする回転対称となる配置で係止用凸部３と係止用凹部４とピン６とピン差込穴７が設けてあるため、該ユニット１を或る平面領域に敷き詰めるように縦横に並べて配置することができる。よって、水平面内で縦横に配列して或る平面領域に敷き詰めるように配置した上記ユニット１の上側に、上下を反転させた姿勢で上記平面領域に敷き詰めるように配置したユニット１を載置した状態で、水平方向に隣接する各ユニット１同士で係止用凸部３と係止用凹部４を互いに嵌合させると共に、斜め上下方向に近接配置される各ユニット同士で互いのピン６とピン差込穴７を相互に接続することにより、上記平面領域に水平方向及び上下方向に配置されたすべてのユニット１の接続を容易に且つ確実に行なうことが可能になる。
【００５２】
次に、図４（イ）（ロ）は本発明の実施の他の形態として、ユニット１における係止用凸部３と係止用凹部４の配置を変更した例を示すもので、以下のようにしてある。
【００５３】
すなわち、上記実施の形態では、図１に示したように、ユニット１の各辺に、隣接配置した係止用凸部３と係止用凹部４を２組ずつ設けるものとして説明したが、ユニット１の各辺に、辺の中点２から辺の長手方向一端側と他端側へ等距離となる位置のいずれか一方に係止用凸部３を設け、且ついずれか他方に、係止用凹部４を設けた構成としてあれば、図４（イ）に示すように、ユニット１の各辺に、係止用凸部３と係止用凹部４を１組のみ設けた構成としてもよい。
【００５４】
又、図４（ロ）に示すように、係止用凸部３と係止用凹部４を３組以上設けた構成としてもよい。更に、係止用凸部３と係止用凹部４は、水平方向及び積層方向に配列したユニット１同士について前述したような３つの方向のいずれの相対変位を拘束するときであっても、該ユニット１自体に荷重が作用する部分を或る一定の領域に小さくまとめるという観点から考えると、上記ユニット１の各辺に係止用凸部３と係止用凹部４を隣接させて設けることが望ましいが、該係止用凸部３と係止用凹部４は、図４（ロ）に示すように、必ずしも隣接配置しなくてもよい。
【００５５】
図４（イ）（ロ）において、図１に示したものと同一のものには同一符号が付してある。
【００５６】
上記各実施の形態においては、本発明のユニット接続用ジョイントを適用するユニット１の平面形状を正方形のものとして示したが、通常姿勢のユニット１の上側に、上下を反転させた姿勢の別のユニット１を重ねて配置するときに、両ユニット１の平面形状の辺を重ねて配置できるよう線対称な形状としてあれば、ユニット１の平面形状を、たとえば、図５（イ）に示す如き正三角形や、図５（ロ）に示す如き二等辺三角形としてもよい。あるいは、図６（イ）に示す如き長方形、図６（ロ）に示す如き等脚台形、図６（ハ）に示す如き菱形、又は、図６（ニ）に示す如き凧形（隣接する２本の辺の長さが等しい組が２組ある四辺形）としてもよい。
【００５７】
更に、ユニット１の平面形状を５角以上の多角形とする場合は、たとえば、線対称で且つ平面に敷き詰めることが可能な多角形となるように、図７（イ）に示す如く、正方形又は長方形の一辺に、二等辺三角形の底辺又は正三角形の一辺を接合した形状（図７（イ）の左上のユニット１における一点鎖線の記載参照、図では長方形の一辺に二等辺三角形の底辺を接合した場合の形状が示してある）の五角形としたり、図７（ロ）に示す如く、二等辺三角形の底辺又は正三角形の一辺に、等脚台形の下底を接合した形状（図７（ロ）の左上のユニット１における一点鎖線の記載参照、図では二等辺三角形の底辺に等脚台形の下底を接合した場合の形状が示してある）の五角形としてもよい。
【００５８】
更に、上記ユニット１の平面形状は、図８（イ）に示す如き正六角形や、図８（ロ）に示す如く、正方形又長方形の対辺に、それぞれ二等辺三角形の底辺又は正三角形の一辺を接合した形状（図８（ロ）の左上のユニット１における一点鎖線の記載参照、図では長方形の対辺にそれぞれ高さ寸法が異なる二等辺三角形の底辺を接合した場合の形状が示してある）の六角形、図８（ハ）に示す如く、正方形又は長方形の一辺に、等脚台形の下底を接合した形状（図８（ハ）の左上のユニット１における一点鎖線の記載参照、図では長方形の一辺に等脚台形の下底を接合した場合の形状が示してある）の六角形、図８（ニ）に示す如く、２つの等脚台形を下底同士で接合した形状（図８（ニ）の左上のユニット１における一点鎖線の記載参照）の六角形としてもよい。
【００５９】
更には、上記ユニット１の平面形状は、図９（イ）に示すように、正方形の四隅を切り欠いた八角形や、図９（ロ）に示すように、長方形の四隅を切り欠いた八角形としてもよい。
【００６０】
上記図５（イ）（ロ）乃至図９（イ）（ロ）に示したユニット１は、それぞれの図に示したように、ユニット１の平面形状において、該ユニット１を平面に敷き詰めるように配置するときに平面内で隣接配置される別のユニット１と突き合わせて配置されるようになる各辺に、該各辺の長手方向の中央部に、図２（イ）（ロ）に示したと同様の係止用凸部３と係止用凹部４が隣接させて設けてある。なお、図示する便宜上、係止用凸部３とその内側のユニット１表面に設けるピン６とピン差込穴７の記載は省略してある。
【００６１】
上記図５（イ）（ロ）乃至図９（イ）（ロ）に示した本発明のユニット接続用ジョイントを備えたユニット１によっても、該ユニット１を、或る平面領域に敷き詰めるように縦横に並べて配置し、その上側に、上下を反転させた姿勢で上記平面領域に敷き詰めるように配置したユニット１を載置した状態で、水平方向に隣接する各ユニット１同士で係止用凸部３と係止用凹部４を互いに嵌合させると共に、斜め上下方向に近接配置される各ユニット同士で互いのピン６とピン差込穴７を相互に接続することにより、上記平面領域に水平方向及び上下方向に配置されたすべてのユニット１の接続を容易に且つ確実に行なうことが可能になる。
【００６２】
更に、ユニット１の平面形状を、図５（イ）に示したような正三角形、図６（ハ）に示したような菱形、図８（イ）に示したような正六角形とする場合は、該各平面形状が回転対称形状であることから、各辺に、上記ユニット１の平面形状の中央を対称中心とする回転対称となる配置で、係止用凸部３、係止用凹部４、各ピン６及びピン差込穴７をそれぞれ設けることが望ましい。このようにすれば、ユニット１を水平方向に並べて配置する際、個々のユニット１について、該ユニット１の平面形状が同一となる水平面内での回転を許容できるようになることから、ユニット１の取扱いの容易さを向上させる効果が期待できる。
【００６３】
なお、本発明は上記実施の形態のみに限定されるものではなく、係止用凸部３の平面形状、サイズは適宜変更してもよい。この係止用凸部３の平面形状に応じて、係止用凹部４の平面形状も適宜変更してよい。
【００６４】
ユニット１の平面形状が矩形の場合は、長辺と短辺における係止用凸部３と係止用凹部４の配置は適宜変更してもよい。
【００６５】
ユニット１における上記ピン６とピン差込穴７を設ける位置を逆にしてもよい。すなわち、係止用凸部３の所定個所にピン差込穴７を設け、該ピン差込穴７を設けた位置に対し、対応する辺の延長線上を対称軸５（図２（イ）参照）とする線対称位置に、ピン６を突設するようにしてもよい。
【００６６】
本発明のユニット接続用ジョイントは、ユニット１の多角形としてある平面形状における他のユニット１と付き合わせて配置される辺について、すべての辺に設けることが好ましいが、必ずしも他のユニット１と付き合わせて配置されるすべての辺に設けなくてもよい。この場合、本発明のユニット接続用ジョイントを備えない辺については、別の接続手段を用いて接続するようにすればよい。
【００６７】
本発明のユニット接続用ジョイントは、水平方向に配列したユニット１の上側に、上下を反転させた姿勢で水平方向に配列するユニット１を載置するようにして使用するユニットであれば、貯水空間形成用のブロック以外の任意のユニット同士の接続部分に適用してもよい。更に、本発明のユニット接続用ジョイントを適用するユニット１は、少なくとも該ユニット１の平面形状における一辺を、水平方向と上下方向に互いに近接させて配置させる４つのユニット１同士を接続する必要があるものであればよい。
【００６８】
更に又、本発明のユニット接続用ジョイントは、水平方向と上下方向に互いに近接させて配置させる辺を平面形状内に少なくとも一つ備えているユニット１であれば、平面形状における隣接配置するユニット同士の接続に関与しないユニット１平面形状の周縁部が曲線で形成されているユニット１同士の接続に用いるようにしてもよい。
【００６９】
その他本発明の要旨を逸脱しない範囲内で種々変更を加え得ることは勿論である。
【符号の説明】
【００７０】
１，１ａ，１ｂ，１ｃ，１ｄ，  ユニット
２  辺の中点
３，３ａ，３ｂ，３ｃ，３ｄ  係止用凸部
４，４ａ，４ｂ，４ｃ，４ｄ  係止用凹部
５  対称軸
６，６ａ，６ｂ，６ｃ，６ｄ  ピン
７，７ａ，７ｂ，７ｃ，７ｄ  ピン差込穴
【図１】
0005615728.tif 000002
【図２】
0005615728.tif 000003
【図３】
0005615728.tif 000004
【図４】
0005615728.tif 000005
【図５】
0005615728.tif 000006
【図６】
0005615728.tif 000007
【図７】
0005615728.tif 000008
【図８】
0005615728.tif 000009
【図９】
0005615728.tif 000010
【図１０】
0005615728.tif 000011